(57)【要約】【課題】簡便に人の食生活に関する情報を推定することが可能な食生活推定システムを提供する。【解決手段】住宅１内における人の位置を検出する人検出部（キッチン人感センサ１１０、ダイニング人感センサ１２０及び寝室人感センサ１３０）と、前記人検出部による検出結果に基づいて、人の食生活に関する情報を推定する制御装置２００と、を具備した。【選択図】図２
2018180802.tif 000002
【特許請求の範囲】
【請求項１】
住宅内における人の位置を検出する人検出部と、
前記人検出部による検出結果に基づいて、人の食生活に関する情報を推定する制御装置と、
を具備する食生活推定システム。
【請求項２】
前記食生活に関する情報には、
前記人が外食したか内食したかの食事形態が含まれ、
前記制御装置は、
前記住宅内における所定の部屋に前記人が滞在した時間に基づいて、前記人の食事形態を推定する、
請求項１に記載の食生活推定システム。
【請求項３】
前記食生活に関する情報には、
前記人の摂取カロリーが含まれ、
前記制御装置は、
推定された前記食事形態に基づいて、当該人の摂取カロリーを推定する、
請求項２に記載の食生活推定システム。
【請求項４】
前記住宅に設置された食事に関連する設備の使用状況に関する情報を検出する食事設備使用状況検出部をさらに具備し、
前記制御装置は、
前記食事設備使用状況検出部により検出された使用状況に関する情報に基づいて、推定された前記食生活に関する情報を補正する、
請求項１から請求項３までのいずれか一項に記載の食生活推定システム。
【請求項５】
前記住宅に設置された睡眠に関連する設備の使用状況に関する情報を検出する睡眠設備使用状況検出部をさらに具備し、
前記食生活に関する情報には、
前記人が食事した時刻が含まれ、
前記制御装置は、
前記住宅内における所定の部屋に前記人が滞在した時間に基づいて、前記人が食事した時刻を推定すると共に、前記睡眠設備使用状況検出部により検出された使用状況に関する情報に基づいて、前記人の就寝時刻を推定し、
推定された前記人が食事した時刻と前記人の就寝時刻との差を算出する、
請求項１から請求項４までのいずれか一項に記載の食生活推定システム。
【請求項６】
住宅に設置された食事に関連する設備の使用状況に関する情報を検出する食事設備使用状況検出部と、
前記食事設備使用状況検出部により検出された使用状況に関する情報に基づいて、人の食生活に関する情報を推定する制御装置と、
を具備する食生活推定システム。
【発明の詳細な説明】
【技術分野】
【０００１】
本発明は、人の食生活に関する情報を推定する食生活推定システムの技術に関する。
【背景技術】
【０００２】
従来、人の食生活に関する情報を推定する食生活推定システムの技術は公知となっている。例えば、特許文献１に記載の如くである。
【０００３】
特許文献１には、人の食生活に関する情報を取得可能な装置が記載されている。具体的には、特許文献１には、食品で反射される反射光に基づいて摂取カロリーを取得することが可能なウェアラブル装置が記載されている。当該ウェアラブル装置を用いることで、ユーザーが食事により摂取したカロリーを算出することができる。
【先行技術文献】
【特許文献】
【０００４】
【特許文献１】特開２０１６−８１４０７号公報
【発明の概要】
【発明が解決しようとする課題】
【０００５】
しかしながら、特許文献１に記載の技術では、ユーザーが摂取カロリーを取得するための装置（ウェアラブル装置）を携帯する必要があるため、摂取カロリーの取得が煩雑である点で不利であった。
【０００６】
本発明は以上の如き状況に鑑みてなされたものであり、その解決しようとする課題は、簡便に人の食生活に関する情報を推定することが可能な食生活推定システムを提供することである。
【課題を解決するための手段】
【０００７】
本発明の解決しようとする課題は以上の如くであり、次にこの課題を解決するための手段を説明する。
【０００８】
即ち、住宅内における人の位置を検出する人検出部と、前記人検出部による検出結果に基づいて、人の食生活に関する情報を推定する制御装置と、を具備するものである。
【０００９】
また、前記食生活に関する情報には、前記人が外食したか内食したかの食事形態が含まれ、前記制御装置は、前記住宅内における所定の部屋に前記人が滞在した時間に基づいて、前記人の食事形態を推定することとしてもよい。
このような構成により、簡便に人の食事形態を推定することができる。
【００１０】
また、前記食生活に関する情報には、前記人の摂取カロリーが含まれ、前記制御装置は、推定された前記食事形態に基づいて、当該人の摂取カロリーを推定することとしてもよい。
このような構成により、簡便に人の摂取カロリーを推定することができる。
【００１１】
また、前記住宅に設置された食事に関連する設備の使用状況に関する情報を検出する食事設備使用状況検出部をさらに具備し、前記制御装置は、前記食事設備使用状況検出部により検出された使用状況に関する情報に基づいて、推定された前記食生活に関する情報を補正することとしてもよい。
このような構成により、人の摂取カロリーを推定精度を向上させることができる。
【００１２】
また、前記住宅に設置された睡眠に関連する設備の使用状況に関する情報を検出する睡眠設備使用状況検出部をさらに具備し、前記食生活に関する情報には、前記人が食事した時刻が含まれ、前記制御装置は、前記住宅内における所定の部屋に前記人が滞在した時間に基づいて、前記人が食事した時刻を推定すると共に、前記睡眠設備使用状況検出部により検出された使用状況に関する情報に基づいて、前記人の就寝時刻を推定し、推定された前記人が食事した時刻と前記人の就寝時刻との差を算出することとしてもよい。
このような構成により、食事から就寝までの時間を把握することができる。
【００１３】
また、住宅に設置された食事に関連する設備の使用状況に関する情報を検出する食事設備使用状況検出部と、前記食事設備使用状況検出部により検出された使用状況に関する情報に基づいて、人の食生活に関する情報を推定する制御装置と、を具備することとしてもよい。
このような構成により、簡便に人の食生活に関する情報を推定することができる。
【発明の効果】
【００１４】
本発明の効果として、以下に示すような効果を奏する。
【００１５】
簡便に人の食生活に関する情報を推定することができる。
【図面の簡単な説明】
【００１６】
【図１】住宅の概略構成を示した模式図。
【図２】住宅に設けられた各センサ及びカメラを示した模式図。
【図３】食生活推定システムを示したブロック図。
【図４】表示装置の表示内容の一例を示した図。
【図５】人検出部の別例を示した模式図。
【発明を実施するための形態】
【００１７】
まず、図１を用いて、本発明の一実施形態に係る食生活推定システム１００が適用される住宅１の概略構成について説明する。
【００１８】
図１には、住宅１の１階部分、及び２階部分の一部を図示している。住宅１の１階部分には、玄関２、廊下３、リビング・ダイニング４、和室５、キッチン６、トイレ７、洗面脱衣室８、浴室９、階段１０等が設けられる。また住宅１の２階部分には、寝室１２等が設けられる。隣接する部屋の間には、適宜扉が設けられる。
【００１９】
次に、図２及び図３を用いて、食生活推定システム１００の構成について説明する。食生活推定システム１００は、住宅１内における人（本実施形態では、特に住宅１の居住者）の食生活に関する情報を推定するためのものである。なお、食生活に関する情報には、人が取る食事形態（内食であるか外食であるか）、食事の内容、摂取カロリー、食事する時刻等が広く含まれる。食生活推定システム１００は、主としてキッチン人感センサ１１０、ダイニング人感センサ１２０、寝室人感センサ１３０、照明センサ１４０、冷蔵庫センサ１５０、電子レンジセンサ１６０、ＩＨセンサ１７０、カメラ１８０、表示装置１９０及び制御装置２００を具備する。
【００２０】
キッチン人感センサ１１０、ダイニング人感センサ１２０及び寝室人感センサ１３０は、住宅１内における人の位置を検出するものである。当該キッチン人感センサ１１０等は、赤外線センサやドップラーセンサ等の非接触式のセンサにより構成される。
【００２１】
キッチン人感センサ１１０はキッチン６に設けられ、人がキッチン６に存在するか否かを検出することができる。
【００２２】
ダイニング人感センサ１２０はリビング・ダイニング４（特に、ダイニング部分）に設けられ、人が当該ダイニング部分に存在するか否かを検出することができる。
【００２３】
寝室人感センサ１３０は寝室１２に設けられ、人が寝室１２に存在するか否かを検出することができる。
【００２４】
照明センサ１４０は、キッチン６に設けられた照明６ａの使用状況を検出するものである。照明センサ１４０は、照明６ａの配線を流通する電力（電流や電圧）を検出することで、当該照明６ａの使用状況（点灯の有無）を検出することができる。
【００２５】
冷蔵庫センサ１５０は、キッチン６に設けられた冷蔵庫６ｂの使用状況を検出するものである。冷蔵庫センサ１５０は、冷蔵庫６ｂの配線を流通する電力（特に、電圧の変動）を検出することで、冷蔵庫６ｂの扉の開閉を検出することができる。
【００２６】
電子レンジセンサ１６０は、キッチン６に設けられた電子レンジ６ｃの使用状況を検出するものである。電子レンジセンサ１６０は、電子レンジ６ｃ用のコンセントの配線を流通する電力（電流や電圧）を検出することで、当該電子レンジ６ｃの使用状況（使用の有無）を検出することができる。
【００２７】
ＩＨセンサ１７０は、キッチン６に設けられたＩＨクッキングヒーター６ｄの使用状況を検出するものである。ＩＨセンサ１７０は、ＩＨクッキングヒーター６ｄ用の配線を流通する電力（電流や電圧）を検出することで、当該ＩＨクッキングヒーター６ｄの使用状況（使用の有無）を検出することができる。
【００２８】
カメラ１８０は、住宅１内（特に、住宅１内の人）を撮影するためのものである。カメラ１８０は、リビング・ダイニング４（特に、ダイニング部分）、キッチン６、寝室１２にそれぞれ設けられ、各部屋を撮影することができる。
【００２９】
表示装置１９０は、各種の情報を表示するためのものである。表示装置１９０は、液晶ディスプレイ等により構成される。表示装置１９０は、リビング・ダイニング４の壁面に設けられる。
【００３０】
図３に示す制御装置２００は、各種の情報から人の食生活に関する情報を推定するものである。制御装置２００は、主としてＣＰＵ等の演算処理装置、ＲＡＭやＲＯＭ等の記憶装置、Ｉ／Ｏ等の入出力装置等により構成される。制御装置２００には、人の食生活に関する情報を推定するための種々の情報やプログラム等が記憶される。
【００３１】
例えば、制御装置２００には、住宅１の間取り図（部屋や扉の位置や寸法に関する情報）や、キッチン人感センサ１１０等の位置が記憶されている。
また制御装置２００には、住宅１の居住者それぞれの顔の画像データ、並びにカメラ１８０により撮影された人の顔を認識（識別）する顔認識プログラムが記憶されている。
【００３２】
また、制御装置２００は、キッチン人感センサ１１０、ダイニング人感センサ１２０、寝室人感センサ１３０、照明センサ１４０、冷蔵庫センサ１５０、電子レンジセンサ１６０、ＩＨセンサ１７０、カメラ１８０及び表示装置１９０に接続される。
【００３３】
以下では、上述の如く構成された食生活推定システム１００の動作態様について説明する。
【００３４】
食生活推定システム１００は、主に（１）人（特に、居住者）の摂取カロリー、及び（２）１日の中で最後に食事をとった時刻から就寝時刻までの時間間隔を推定する。以下、当該（１）及び（２）の推定方法について順番に説明する。
【００３５】
まず、食生活推定システム１００が、（１）人（特に、居住者）の摂取カロリーを推定する方法について説明する。
【００３６】
制御装置２００は、キッチン人感センサ１１０及びダイニング人感センサ１２０から受信する検出信号に基づいて、居住者がキッチン６又はリビング・ダイニング４（特に、ダイニング部分）に存在するか否かを判定することができる。
【００３７】
ここで、居住者がキッチン６に所定時間以上継続して滞在している場合、当該居住者は食事を作っていると考えられる。そこで、制御装置２００は、居住者がキッチン６に所定時間以上継続して滞在している場合には、当該居住者が食事を作っているものと推定する。すなわちこの場合、制御装置２００は、当該居住者が内食している（住宅１内で食事を取っている）ものと推定する。
【００３８】
この際、制御装置２００は、居住者のキッチン６における滞在時間に加えて、現在時刻（時間帯）も考慮して、当該居住者が内食しているか否かを推定することも可能である。例えば制御装置２００は、一般的な食事時間に近い時間帯において居住者がキッチン６に所定時間以上滞在している場合には、当該居住者が内食しているものと推定する。一方、制御装置２００は、当該食事時間から離れた時間帯において居住者がキッチン６に所定時間以上滞在している場合には、食事を作っている可能性は低いと考えられるため、当該居住者が食事を作っているものとは推定しない。
【００３９】
このようにして、制御装置２００は、居住者のキッチン６における滞在時間から、当該居住者が内食していることを推定することができる。
【００４０】
なお、居住者のキッチン６における滞在時間は、キッチン人感センサ１１０ではなく、照明センサ１４０による検出信号からも推定することができる。すなわち、照明センサ１４０によりキッチン６の照明６ａが使用されていることを検出し、当該照明６ａが使用されている間は、居住者がキッチン６に滞在しているものと推定することができる。
【００４１】
さらに、一般的には、居住者は食事を作った直後に食事を取るものと考えられる。そこで、制御装置２００は、居住者がキッチン６に所定時間以上継続して滞在した後に、当該キッチン６から出た時刻を、当該居住者の食事の時刻として推定する。
【００４２】
また本実施形態においては、居住者が飲食店等で作られた食事を購入し、住宅１内で当該食事を取る場合（いわゆる、中食）も、当該居住者が内食しているものとみなす。ここで、居住者がキッチン６に所定時間以上滞在せず、かつダイニング部分に所定時間以上滞在している場合、当該居住者は料理を作ることなく食事を取っている（中食である）と考えられる。そこで、制御装置２００は、居住者がキッチン６に所定時間以上滞在せず、かつダイニング部分に所定時間以上滞在している場合には、当該居住者が内食しているものと推定する。
【００４３】
この場合も、制御装置２００は、現在時刻（時間帯）も考慮して（すなわち、一般的な食事時間に近い時間帯か否かを考慮して）、当該居住者が内食しているか否かを推定することが可能である。
【００４４】
なお、制御装置２００は、食事形態が中食であると推定される場合には、居住者がダイニング部分に滞在し始めた時刻を、当該居住者の食事の時刻として推定する。
【００４５】
一方、食事時間に近い時間帯であるにもかかわらず、居住者がキッチン６及びダイニング部分に所定時間以上滞在していない場合には、当該居住者は住宅１内で食事を取っていないものと考えられる。そこで、制御装置２００は、食事時間に近い時間帯であるにもかかわらず、居住者がキッチン６及びダイニング部分に所定時間以上滞在していない場合には、当該居住者は住宅１外で食事を取っているものと推定する。すなわちこの場合、制御装置２００は、当該居住者が外食している（住宅１外で食事を取っている）ものと推定する。
【００４６】
このように制御装置２００は、キッチン６やダイニング部分における居住者の滞在時間等から、当該居住者の食事形態（内食か外食か）を推定することができる。
【００４７】
また制御装置２００は、居住者の内食及び外食の推定結果に基づいて、当該居住者の摂取カロリーを推定する。具体的には、制御装置２００には、内食する場合の一般的な摂取カロリーと、外食する場合の一般的な摂取カロリーに関する情報が予め記憶されている（又は、インターネットを介して当該情報が適宜取得される）。制御装置２００は、当該情報と、居住者の内食及び外食の回数（例えば、１日あたりの回数）から、当該居住者の摂取カロリーを推定することができる。
【００４８】
さらに制御装置２００は、上述の如く推定された居住者の食事形態（内食か外食か）や摂取カロリーを、冷蔵庫センサ１５０、電子レンジセンサ１６０及びＩＨセンサ１７０の検出結果に基づいて補正することができる。
【００４９】
例えば、上述の如く、制御装置２００は、食事時間に近い時間帯であるにもかかわらず、居住者がキッチン６及びダイニング部分に所定時間以上滞在していない場合には、当該居住者は住宅１外で食事を取っている（外食している）ものと推定する。しかしながら、この場合に冷蔵庫センサ１５０、電子レンジセンサ１６０及びＩＨセンサ１７０の検出結果から、冷蔵庫６ｂ、電子レンジ６ｃ及びＩＨクッキングヒーター６ｄが所定回数（又は所定時間以上）使用されたことが検出された場合には、居住者は短時間で食事を作ったものと考えることができる。
【００５０】
そこで、制御装置２００は、冷蔵庫センサ１５０等の検出結果から、居住者が食事を作ったと推定される場合には、居住者の滞在時間に基づく推定結果（外食）を補正し、当該居住者は内食しているものと推定する。
【００５１】
また例えば、上述の如く、制御装置２００は、居住者の内食及び外食の推定結果に基づいて、当該居住者の摂取カロリーを推定する。さらに制御装置２００は、居住者が内食していると推定された場合には、冷蔵庫センサ１５０、電子レンジセンサ１６０及びＩＨセンサ１７０の検出結果から当該摂取カロリーを補正することができる。
【００５２】
具体的には、制御装置２００は、冷蔵庫センサ１５０、電子レンジセンサ１６０及びＩＨセンサ１７０からの検出信号から、冷蔵庫６ｂ、電子レンジ６ｃ及びＩＨクッキングヒーター６ｄ等の使用状況を把握することができる。制御装置２００は、当該使用状況から、居住者が作る食事の内容（揚げ物、煮物、炒め物等）を大まかに推定することができる。制御装置２００は、当該推定結果（食事の内容）に基づいて、摂取カロリーの値を上下に補正し、より適切な値とすることができる。
【００５３】
次に、食生活推定システム１００が、（２）１日の中で最後に食事をとった時刻から就寝時刻までの時間間隔を推定する方法について説明する。
【００５４】
上記（１）人（特に、居住者）の摂取カロリーを推定する方法の説明で述べたように、制御装置２００は、居住者が内食していると推定する際には、当該居住者の食事の時刻も併せて推定している。制御装置２００は、推定された居住者の食事の時刻の中から、１日における最後の食事の時刻を抽出する。
【００５５】
なお、居住者が外食している場合には、具体的な食事の時刻を推定することはできない。この場合、一般的に食事を取ると思われる時刻を、居住者の食事の時刻として推定してもよい。
【００５６】
次に制御装置２００は、居住者の就寝時刻を推定する。具体的には、制御装置２００は、寝室人感センサ１３０の検出信号に基づいて、居住者が寝室１２に存在することを把握することができる。制御装置２００は、居住者が寝室１２に所定時間以上滞在したことを検出した場合、当該居住者は就寝したものと推定する。この場合、制御装置２００は、居住者が寝室１２に入室した時刻を就寝時刻として推定する。
【００５７】
次に制御装置２００は、居住者の１日における最後の食事の時刻から、就寝時刻までの時間間隔を算出する。これによって、制御装置２００は、当該居住者の夕食から就寝までの時間を推定することができる。
【００５８】
一般的に、就寝直前に夕食を取ると、胃や腸が活発に働いて寝つきが悪くなったり、また就寝中には胃腸が働きにくいため消化が悪化する等の問題がある。このため、上記（２）１日の中で最後に食事をとった時刻から就寝時刻までの時間間隔を、食生活の良否の判断基準とすることができる。すなわち制御装置２００により上記（２）１日の中で最後に食事をとった時刻から就寝時刻までの時間間隔を推定することで、居住者の食生活の良否を判断することができる。
【００５９】
なお、制御装置２００は、上記（１）及び（２）の推定を行う場合、カメラ１８０により撮影された人（顔）の画像を用いて、推定の対象となる人（居住者）を識別し、各人ごとに食生活に関する情報を推定することができる。
【００６０】
制御装置２００は、上記（１）及び（２）の推定結果を表示装置１９０に表示させることで、当該推定結果を人に報知することができる。例えば、制御装置２００は、図４に示すように、住宅１の各居住者（本実施形態においては居住者Ａ〜Ｃ）の１日あたりの摂取カロリー、及び当該１日における最後の食事から就寝までの時間を表示装置１９０に表示させる。
【００６１】
この際、表示装置１９０に表示させる食生活に関する情報は、１日だけ（例えば前日）のものでも、所定期間（複数日）のものでもよい。また表示装置１９０への表示は任意のタイミングで行うことができる。例えば、毎日予め定められた時刻に表示することや、居住者の要求（操作）に応じて表示することが可能である。
【００６２】
以上の如く、本実施形態に係る食生活推定システム１００は、
住宅１内における人の位置を検出する人検出部（キッチン人感センサ１１０、ダイニング人感センサ１２０及び寝室人感センサ１３０）と、
前記人検出部による検出結果に基づいて、人の食生活に関する情報を推定する制御装置２００と、
を具備するものである。
このように構成することにより、簡便に人の食生活に関する情報を推定することができる。すなわち、食生活に関する情報を推定するための機器を人に所持させる必要がなく、当該情報を容易に推定することが可能となる。これによって居住者は、食生活の計測を特に意識することなく、住宅１内で日常的な生活を送るだけで食生活に関する情報を推定することができる。
【００６３】
また、前記食生活に関する情報には、
前記人が外食したか内食したかの食事形態が含まれ、
前記制御装置２００は、
前記住宅１内における所定の部屋に前記人が滞在した時間に基づいて、前記人の食事形態を推定するものである。
このように構成することにより、簡便に人の食事形態を推定することができる。
【００６４】
また、前記食生活に関する情報には、
前記人の摂取カロリーが含まれ、
前記制御装置２００は、
推定された前記食事形態に基づいて、当該人の摂取カロリーを推定するものである。
このように構成することにより、簡便に人の摂取カロリーを推定することができる。すなわち、人が外食したか内食したかに応じて、大まかな摂取カロリーを簡単に推定することができる。
【００６５】
また、食生活推定システム１００は、
前記住宅１に設置された食事に関連する設備の使用状況に関する情報を検出する食事設備使用状況検出部（冷蔵庫センサ１５０、電子レンジセンサ１６０及びＩＨセンサ１７０）をさらに具備し、
前記制御装置２００は、
前記食事設備使用状況検出部により検出された使用状況に関する情報に基づいて、推定された前記食生活に関する情報を補正するものである。
このように構成することにより、人の摂取カロリーを推定精度を向上させることができる。
【００６６】
また、食生活推定システム１００は、
前記住宅１に設置された睡眠に関連する設備の使用状況に関する情報を検出する睡眠設備使用状況検出部（寝室人感センサ１３０）をさらに具備し、
前記食生活に関する情報には、
前記人が食事した時刻が含まれ、
前記制御装置２００は、
前記住宅１内における所定の部屋に前記人が滞在した時間に基づいて、前記人が食事した時刻を推定すると共に、前記睡眠設備使用状況検出部により検出された使用状況に関する情報に基づいて、前記人の就寝時刻を推定し、
推定された前記人が食事した時刻と前記人の就寝時刻との差を算出するものである。
このように構成することにより、食事から就寝までの時間を把握することができる。当該時間に基づいて、人の食生活を評価することができる。
【００６７】
なお、本実施形態に係るキッチン人感センサ１１０、ダイニング人感センサ１２０及び寝室人感センサ１３０は、人検出部の一形態である。
また、本実施形態に係る冷蔵庫センサ１５０、電子レンジセンサ１６０及びＩＨセンサ１７０は、食事設備使用状況検出部の一形態である。
また、本実施形態に係る寝室人感センサ１３０は、睡眠設備使用状況検出部の一形態である。
【００６８】
以上、実施形態について説明したが、本発明は上記構成に限定されるものではなく、特許請求の範囲に記載された発明の範囲内で種々の変更が可能である。
【００６９】
例えば、本実施形態において各種センサを設けた位置は一例であり、任意の位置に設けることが可能である。また、本実施形態においては冷蔵庫６ｂ、電子レンジ６ｃ及びＩＨクッキングヒーター６ｄの使用状況を検出するものとしたが、その他任意の設備の使用状況から居住者の食生活を推定することが可能である。
【００７０】
また、人の位置を検出する人検出部は、本実施形態に限るものではない。例えば、人検出部として、各部屋に出入りする人を検出するセンサを用いることも可能である。例えば、図５に示すように、寝室１２の扉の内外にそれぞれセンサ（第一寝室人感センサ１３１及び第二寝室人感センサ１３２）を設け、当該２つのセンサの検出タイミング（検出時間の前後関係）から、人が寝室１２に入ったのか、寝室１２から出たのかを検出することも可能である。
【００７１】
また、本実施形態においては、制御装置２００は、推定された食生活に関する情報を表示装置１９０に表示させるものとしたが、推定された食生活に基づくアドバイスも併せて表示させることも可能である。具体的には、制御装置２００は、１日ごとの摂取カロリーを比較し、当該摂取カロリーが増えてきていると判断した場合には、居住者に摂取カロリーを減らすように促すようなアドバイスを表示装置１９０に表示することができる。また、制御装置２００は、食事から就寝までの時間が所定時間（一般的に好ましいとされている時間）よりも短い場合には、食事（夕食）を早めに取るように促すアドバイスを表示装置１９０に表示することができる。
【００７２】
また、本実施形態においては、制御装置２００は、食生活に関する情報として図４に示すような情報を推定して表示させるものとしたが、その他種々の情報を表示させることが可能である。例えば、居住者の各食事の時刻や、所定期間（例えば、１週間）における外食の回数等を表示させることも可能である。これによって、居住者は、食生活の改善点を検討することができる。
【００７３】
また、本実施形態においては、食生活に関する情報を表示装置１９０に表示させるものとしたが、当該情報は他の表示装置（例えば、住宅１に設けられたテレビや、居住者が所有する携帯端末等）に表示させてもよい。
【００７４】
また、本実施形態においては、居住者が飲食店等で作られた食事を購入し、住宅１内で当該食事を取る場合（いわゆる、中食）も、内食とみなしたが、これは便宜上のものであり、例えば当該中食を外食とみなしてもよい。また、制御装置２００は、内食及び外食とは区別して、中食を別途推定することも可能である。
【００７５】
また、本実施形態においては、人の位置に基づいて食生活に関する情報（食事形態や摂取カロリー）を推定するものとしたが、例えば、冷蔵庫センサ１５０、電子レンジセンサ１６０及びＩＨセンサ１７０により検出された冷蔵庫６ｂ、電子レンジ６ｃ及びＩＨクッキングヒーター６ｄの使用状況に関する情報から、人の食生活に関する情報（食事形態や摂取カロリー）を推定することも可能である。
【００７６】
例えば、冷蔵庫センサ１５０、電子レンジセンサ１６０及びＩＨセンサ１７０の検出結果から、冷蔵庫６ｂ、電子レンジ６ｃ及びＩＨクッキングヒーター６ｄが所定回数（又は所定時間以上）使用されたことが検出された場合には、居住者は食事を作った（内食した）ものと推定することができる。
【００７７】
すなわち、食生活推定システム１００は、
住宅１に設置された食事に関連する設備の使用状況に関する情報を検出する食事設備使用状況検出部（冷蔵庫センサ１５０、電子レンジセンサ１６０及びＩＨセンサ１７０）と、
前記食事設備使用状況検出部により検出された使用状況に関する情報に基づいて、人の食生活に関する情報を推定する制御装置２００と、
を具備することも可能である。
このように構成することにより、簡便に人の食生活に関する情報を推定することができる。
【符号の説明】
【００７８】
１００  食生活推定システム
１１０  キッチン人感センサ
１２０  ダイニング人感センサ
１３０  寝室人感センサ
１４０  照明センサ
１５０  冷蔵庫センサ
１６０  電子レンジセンサ
１７０  ＩＨセンサ
１８０  カメラ
１９０  表示装置
２００  制御装置
【図１】
2018180802.tif 000003
【図２】
2018180802.tif 000004
【図３】
2018180802.tif 000005
【図４】
2018180802.tif 000006
【図５】
2018180802.tif 000007